(57)【要約】【課題】本発明の課題は、複数の空調機のような設備機器が集中管理機器に接続されている設備システムにおいて、サービスエンジニア等に大きな負担をかけることなく、簡便に、集中管理機器に設備機器のアドレスと設備機器の設置場所とを対応付けることができる設備機器対応付け支援システムを提供することにある。【解決手段】  設備機器対応付け支援システムは、複数の設備機器２０，１２０、情報受信手段４７，１４７、および情報対応付け保存手段７１Ｂ，１７１Ｂを備える。設備機器は、第１記憶手段２５，１２５および情報発信手段２６，１２６を有する。第１記憶手段には、自己識別情報が記憶される。情報発信手段は、第１記憶手段に記憶される自己識別情報を発信する。情報受信手段は、情報発信手段から発信される自己識別情報を受信する。情報対応付け保存手段は、情報受信手段において受信された自己識別情報を、設備機器の設置位置情報と対応付けして第２記憶手段７４，１７４に保存する。【選択図】図１
2007132620.tif 000002
【特許請求の範囲】
【請求項１】
自己識別情報を記憶する第１記憶手段（２５，１２５）と、前記第１記憶手段に記憶される前記自己識別情報を発信する情報発信手段（２６，１２６）とを有する複数の設備機器（２０，１２０）と、
前記情報発信手段から発信される前記自己識別情報を受信する情報受信手段（４７，１４７）と、
前記情報受信手段において受信された前記自己識別情報を、前記設備機器の設置位置情報と対応付けして第２記憶手段（７４，１７４）に保存する情報対応付け保存手段（７１Ｂ，１７１Ｂ）と、
を備える、設備機器対応付け支援システム。
【請求項２】
前記設備機器は、情報発信指令信号を発信可能である情報発信指令信号発信手段（１８）をさらに有し、
前記情報発信手段は、前記情報発信指令信号を受信すると前記第１記憶手段に記憶される前記自己識別情報を発信する、
請求項１に記載の設備機器対応付け支援システム。
【請求項３】
前記設備機器は、撮像手段をさらに有し、
前記情報発信手段は、前記撮像手段において特定の像が撮影されると前記第１記憶手段に記憶される前記自己識別情報を発信する、
請求項１に記載の設備機器対応付け支援システム。
【請求項４】
前記設備機器の設置位置情報を情報表示装置（４６，１４６）に表示する設置位置情報表示手段（７１Ａ，１７１Ａ）をさらに備え、
前記情報対応付け保存手段は、前記情報受信手段において受信された前記自己識別情報を、前記情報表示装置に表示された特定の前記設置位置情報と対応付けして前記第２記憶手段に保存する、
請求項１から３のいずれかに記載の設備機器対応付け支援システム。
【請求項５】
前記設置位置情報表示手段は、複数の前記設置位置情報を前記情報表示装置に表示し、
前記情報表示装置に表示される複数の前記設置位置情報のうち特定の前記設置位置情報を選択可能である設置位置情報選択手段（７９）をさらに備え、
前記情報対応付け保存手段は、前記情報受信手段において受信された前記自己識別情報を、前記設置位置情報選択手段において選択された特定の前記設置位置情報と対応付けして前記第２記憶手段に保存する、
請求項４に記載の設備機器対応付け支援システム。
【請求項６】
前記情報受信手段、前記設置位置情報表示手段、および前記情報対応付け保存手段は、携帯可能な情報処理装置である携帯情報処理装置（７，１０７）に設けられる、
請求項４または５に記載の設備機器対応付け支援システム。
【請求項７】
前記情報受信手段、前記設置位置情報表示手段、前記情報対応付け保存手段、および前記設置位置情報選択手段は、携帯可能な情報処理装置である携帯情報処理装置に設けられる、
請求項５に記載の設備機器対応付け支援システム。
【請求項８】
前記設置位置情報表示手段は、前記情報表示装置に地図情報を表示し、前記設置位置情報を前記地図情報上の特定の位置に図形情報および文字情報の少なくとも一方の情報として表示する、
請求項６または７に記載の設備機器対応付け支援システム。
【請求項９】
音または電磁波を発する発音等装置（４７）と、
前記音または前記電磁波を利用して前記発音等装置の位置情報を導出する発音等装置位置情報導出手段（５１Ｂ）と、
をさらに備える、請求項１から８のいずれかに記載の設備機器対応付け支援システム。
【請求項１０】
前記発音等装置および前記発音等装置位置情報導出手段は、前記携帯情報処理装置に設けられる、
請求項９に記載の設備機器対応付け支援システム。
【請求項１１】
前記設備機器（１２０）は、撮像手段（１１８）をさらに有し、
前記情報発信手段（１２６）は、前記撮像手段において像が撮影されると前記第１記憶手段（１２５）に記憶される前記自己識別情報と前記像の情報とを併せて発信し、
前記像の情報を利用して前記設備機器の設置位置情報を導出する設置位置情報導出手段（１７１Ｂ）をさらに備え、
前記情報対応付け保存手段（１７１Ｂ）は、前記情報受信手段（１４７）において受信された前記自己識別情報を、前記設置位置情報導出手段において導出された前記設置位置情報と対応付けして前記第２記憶手段（１７４）に保存する、
請求項１に記載の設備機器対応付け支援システム。
【発明の詳細な説明】
【技術分野】
【０００１】
本発明は、複数の設備機器と通信接続される集中管理機器において、設備機器の設置位置情報と自己識別情報との対応付けの確立を支援するための設備機器対応付け支援システムに関する。
【背景技術】
【０００２】
下記に示す特許文献１には、「リモコンを有する複数の空調機が集中管理機器に接続されている空調システムにおいて、集中管理機器に空調機のアドレスと空調機の設置場所名とを対応付けて保存するための方法の発明」が開示されている。この空調システムでは、先ず、サービスエンジニア等が、空調機に設けられているアドレス設定スイッチによりその空調機のアドレスを決定する。続いて、サービスエンジニア等が、その空調機に対応するリモコンにその空調機の設置場所名を入力する。すると、その設置場所名の情報が空調機に送信され、空調機がアドレスと設置場所名の情報とからアドレス設定情報を生成する。その後、空調機は、そのアドレス設定情報を集中管理機器に送信する。そして、集中管理機器は、アドレス設定データをアドレスと設置場所名とに分割して所定の保存場所へ保存する。
【０００３】
また、当業者に広く知られている別の方法では、先ず、集中管理機器により各空調機のアドレスを収集する（逆に、集中管理機器から自動的に各空調機にアドレスを付与する場合もある）。次に、サービスエンジニア等が、集中管理機器上で適当な空調機を１台選択してそのアドレスを認識する。そして、サービスエンジニア等が、集中管理機器からそのアドレスに運転開始指令を送信する。その後、サービスエンジニア等は、運転している空調機を発見するために建物を歩き回わる。そして、サービスエンジニア等が運転している空調機を発見すると、その空調機の設置位置をメモして集中管理機器へ戻る。そこで、サービスエンジニア等は、集中管理機器において、メモした設置位置を、そのアドレスに対応付けするように入力する。
【特許文献１】特開２００３−２２７６４４号公報
【発明の開示】
【発明が解決しようとする課題】
【０００４】
ところで、空調機のアドレスについては空調機の施工前に予め重複しないように設定しておくことが可能であるが、設置場所名については施工が間違っている場合があり得るため空調機の施工後に設定する必要がある。つまり、空調機にリモコンを接続しない場合に前者の方法を実施するためには、サービスエンジニア等が天井裏などによじ登り空調機本体に専用リモコンなどを接続して設置場所名を空調機に直接入力しなければならないことになり、非常に不便である。また、後者の方法では、サービスエンジニア等は、天井裏によじ登る必要はないが、１台ずつ上記の作業を行わなければならないため、全空調機に対して対応付けが完了するまでに相当の距離を歩き回らなければならない。したがって、後者の方法を採る場合、サービスエンジニア等の作業負担が大きく、対応付け完了までにかなりの時間を費やさなければならない。
【０００５】
本発明の課題は、複数の空調機のような設備機器が集中管理機器に接続されている設備システムにおいて、サービスエンジニア等に大きな負担をかけることなく、簡便に、集中管理機器に設備機器のアドレスと設備機器の設置場所とを対応付けることができる設備機器対応付け支援システムを提供することにある。
【課題を解決するための手段】
【０００６】
第１発明に係る設備機器対応付け支援システムは、複数の設備機器、情報受信手段、および情報対応付け保存手段を備える。設備機器は、第１記憶手段および情報発信手段を有する。第１記憶手段には、自己識別情報が記憶される。情報発信手段は、第１記憶手段に記憶される自己識別情報を発信する。情報受信手段は、情報発信手段から発信される自己識別情報を受信する。情報対応付け保存手段は、情報受信手段において受信された自己識別情報を、設備機器の設置位置情報と対応付けして第２記憶手段に保存する。なお、ここにいう「設備機器の設置位置情報」は、予め施工データ等に基づいて情報処理装置に入力されていてもよいし、無線位置検出技術などを利用して自動的に導出するようにしてもよい。
【０００７】
この設備機器対応付け支援システムでは、情報発信手段が、第１記憶手段に記憶される自己識別情報を発信する。すると、情報受信手段が、情報発信手段から発信される自己識別情報を受信する。そして、情報対応付け保存手段が、情報受信手段において受信された自己識別情報を、設備機器の設置位置情報と対応付けして第２記憶手段に保存する。このため、この設備機器対応付け支援システムでは、複数の設備機器が集中管理機器に接続されている設備システムにおいて、サービスエンジニア等に大きな負担をかけることなく、簡便に、集中管理機器に設備機器のアドレスと設備機器の設置場所とを対応付けて保存することができる。
【０００８】
第２発明に係る設備機器対応付け支援システムは、第１発明に係る設備機器対応付け支援システムであって、設備機器は、情報発信指令信号発信手段をさらに有する。情報発信指令信号発信手段は、情報発信指令信号を発信可能である。そして、情報発信手段は、情報発信指令信号を受信すると第１記憶手段に記憶される自己識別情報を発信する。
この設備機器対応付け支援システムでは、サービスエンジニア等が、設置位置情報と対応付けたい設備機器へ赴き、その設備機器に設けられる情報発信指令信号発信手段により情報発信指令信号を発信する。そして、情報発信手段が、情報発信指令信号を受信すると第１記憶手段に記憶される自己識別情報を発信する。すると、情報受信手段が、情報発信手段から発信される自己識別情報を受信する。最後に、情報対応付け保存手段が、情報受信手段において受信された自己識別情報を、設備機器の設置位置情報と対応付けして第２記憶手段に保存する。このため、この設備機器対応付け支援システムでは、設備機器にリモコンが接続されない場合であっても、サービスエンジニア等は、天井裏などによじ登る必要はない。また、この設備機器対応付け支援システムでは、サービスエンジニア等は、任意のルートあるいは規定のルートを通って設備機器を巡回しながら情報発信指令信号発信手段により情報発信指令信号を発信させ、全ての設備機器の設置位置を巡回し終えた後に集中管理機器に戻ればよい。したがって、この設備機器対応付け支援システムでは、複数の設備機器が集中管理機器に接続されている設備システムにおいて、サービスエンジニア等に大きな負担をかけることなく、簡便に、集中管理機器に設備機器のアドレスと設備機器の設置場所とを対応付けて保存することができる。
【０００９】
第３発明に係る設備機器対応付け支援システムは、第１発明に係る設備機器対応付け支援システムであって、設備機器は、撮像手段をさらに有する。なお、ここにいう「撮像手段」とは、例えば、カメラ等である。そして、情報発信手段は、撮像手段において特定の像が撮影されると第１記憶手段に記憶される自己識別情報を発信する。
この設備機器対応付け支援システムでは、サービスエンジニア等が、設置位置情報と対応付けたい設備機器へ赴き、特定の像に対応するものをその設備機器に設けられている撮像手段に向けた状態で、全ての設備機器に設けられる撮像手段に対して撮像命令信号を送信すれば、特定の像が撮影された撮像手段が設けられている設備機器の情報発信手段から自己識別情報が発信される。すると、情報受信手段が、情報発信手段から発信される自己識別情報を受信する。最後に、情報対応付け保存手段が、情報受信手段において受信された自己識別情報を、設備機器の設置位置情報と対応付けして第２記憶手段に保存する。このため、この設備機器対応付け支援システムでは、設備機器にリモコンが接続されない場合であっても、サービスエンジニア等は、天井裏などによじ登る必要はない。また、この設備機器対応付け支援システムでは、サービスエンジニア等は、任意のルートあるいは規定のルートを通って設備機器を巡回しながら特定の像に対応するものを１の撮像手段に向けた状態で、全ての設備機器に設けられる撮像手段に対して撮像命令信号を送信させ、全ての設備機器の設置位置を巡回し終えた後に集中管理機器に戻ればよい。したがって、この設備機器対応付け支援システムでは、複数の設備機器が集中管理機器に接続されている設備システムにおいて、サービスエンジニア等に大きな負担をかけることなく、簡便に、集中管理機器に設備機器のアドレスと設備機器の設置場所とを対応付けて保存することができる。
【００１０】
第４発明に係る設備機器対応付け支援システムは、第１発明から第３発明のいずれかに係る設備機器対応付け支援システムであって、設置位置情報表示手段をさらに備える。設置位置情報表示手段は、設備機器の設置位置情報を情報表示装置に表示する。そして、情報対応付け保存手段は、情報受信手段において受信された自己識別情報を、情報表示装置に表示された特定の設置位置情報と対応付けして第２記憶手段に保存する。
【００１１】
この設備機器対応付け支援システムでは、設置位置情報表示手段が、設備機器の設置位置情報を情報表示装置に表示する。そして、情報対応付け保存手段が、情報受信手段において受信された自己識別情報を、情報表示装置に表示された特定の設置位置情報と対応付けして第２記憶手段に保存する。このため、この設備機器対応付け支援システムでは、サービスエンジニア等は、設備機器の設置位置を確認しながら対応付け作業を行うことができる。
【００１２】
第５発明に係る設備機器対応付け支援システムは、第４発明に係る設備機器対応付け支援システムであって、設置位置情報表示手段は、複数の設置位置情報を情報表示装置に表示する。また、この設備機器対応付け支援システムは、設置位置情報選択手段をさらに備える。設置位置情報選択手段は、情報表示装置に表示される複数の設置位置情報のうち特定の設置位置情報を選択可能である。そして、情報対応付け保存手段は、情報受信手段において受信された自己識別情報を、設置位置情報選択手段において選択された特定の設置位置情報と対応付けして第２記憶手段に保存する。
【００１３】
この設備機器対応付け支援システムでは、設置位置情報表示手段が、複数の設置位置情報を情報表示装置に表示する。また、設置位置情報選択手段が、情報表示装置に表示される複数の設置位置情報のうち特定の設置位置情報を選択可能である。そして、情報対応付け保存手段が、情報受信手段において受信された自己識別情報を、設置位置情報選択手段において選択された特定の設置位置情報と対応付けして第２記憶手段に保存する。このため、この設備機器対応付け支援システムでは、サービスエンジニア等は、任意の順番で設備機器の設置位置を巡ることができる。
【００１４】
第６発明に係る設備機器対応付け支援システムは、第４発明または第５発明に係る設備機器対応付け支援システムであって、情報受信手段、設置位置情報表示手段、および情報対応付け保存手段は、携帯可能な情報処理装置である携帯情報処理装置に設けられる。
この設備機器対応付け支援システムでは、情報受信手段、設置位置情報表示手段、および情報対応付け保存手段は、携帯可能な情報処理装置である携帯情報処理装置に設けられる。このため、この設備機器対応付け支援システムでは、サービスエンジニア等は、携帯情報処理装置を携帯して、任意のルートあるいは規定のルートを通って設備機器を巡回すればよい。したがって、この設備機器対応付け支援システムでは、複数の設備機器が集中管理機器に接続されている設備システムにおいて、サービスエンジニア等に大きな負担をかけることなく、簡便に、集中管理機器に設備機器のアドレスと設備機器の設置場所とを対応付けて保存することができる。
【００１５】
第７発明に係る設備機器対応付け支援システムは、第５発明に係る設備機器対応付け支援システムであって、情報受信手段、設置位置情報表示手段、情報対応付け保存手段、および設置位置情報選択手段は、携帯可能な情報処理装置である携帯情報処理装置に設けられる。
この設備機器対応付け支援システムでは、情報受信手段、設置位置情報表示手段、情報対応付け保存手段、および設置位置情報選択手段が、携帯可能な情報処理装置である携帯情報処理装置に設けられる。このため、この設備機器対応付け支援システムでは、サービスエンジニア等は、携帯情報処理装置を携帯して、任意のルートあるいは規定のルートを通って設備機器を巡回すればよい。したがって、この設備機器対応付け支援システムでは、複数の設備機器が集中管理機器に接続されている設備システムにおいて、サービスエンジニア等に大きな負担をかけることなく、簡便に、集中管理機器に設備機器のアドレスと設備機器の設置場所とを対応付けて保存することができる。
【００１６】
第８発明に係る設備機器対応付け支援システムは、第６発明または第７発明に係る設備機器対応付け支援システムであって、設置位置情報表示手段は、情報表示装置に地図情報を表示し、設置位置情報を地図情報上の特定の位置に図形情報および文字情報の少なくとも一方の情報として表示する。なお、ここにいう「地図情報」とは、例えば、建造物のフロアレイアウト情報などである。また、ここにいう「図形情報」とは、例えば、アイコンやコマンドボタン等である。
【００１７】
この設備機器対応付け支援システムでは、設置位置情報表示手段が、情報表示装置に地図情報を表示し、設置位置情報を地図情報上の特定の位置に図形情報および文字情報の少なくとも一方の情報として表示する。このため、この設備機器対応付け支援システムでは、サービスエンジニア等が設備機器の設置位置を誤認するおそれを低減することができる。
【００１８】
第９発明に係る設備機器対応付け支援システムは、第１発明から第８発明のいずれかに係る設備機器対応付け支援システムであって、発音等装置および発音等装置位置情報導出手段をさらに備える。発音等装置は、音または電磁波を発する。発音等装置位置情報導出手段は、音または電磁波を利用して発音等装置の位置情報を導出する。
この設備機器対応付け支援システムでは、発音等装置が、音または電磁波を発する。そして、発音等装置位置情報導出手段が、音または電磁波を利用して発音等装置の位置情報を導出する。このため、この設備機器対応付け支援システムでは、サービスエンジニア等は、発音等装置を携帯していれば、自身の居場所を確認することができる。したがって、この設備機器対応付け支援システムでは、サービスエンジニア等が設備機器の設置位置を誤認するおそれを低減することができる。
【００１９】
第１０発明に係る設備機器対応付け支援システムは、第９発明に係る設備機器対応付け支援システムであって、発音等装置および発音等装置位置情報導出手段は、携帯情報処理装置に設けられる。
この設備機器対応付け支援システムでは、発音等装置および発音等装置位置情報導出手段が、携帯情報処理装置に設けられる。このため、この設備機器対応付け支援システムでは、サービスエンジニア等は、携帯情報処理装置を携帯していれば、自分自身で自身の居場所を確認することができる。したがって、この設備機器対応付け支援システムでは、サービスエンジニア等が設備機器の設置位置を誤認するおそれを低減することができる。
【００２０】
第１１発明に係る設備機器対応付け支援システムは、第１発明に係る設備機器対応付け支援システムであって、設備機器は、撮像手段をさらに有する。情報発信手段は、撮像手段において像が撮影されると第１記憶手段に記憶される自己識別情報と像の情報とを併せて発信する。また、この設備機器対応付け支援システムは、設置位置情報導出手段をさらに備える。設置位置情報導出手段は、像の情報を利用して設備機器の設置位置情報を導出する。そして、情報対応付け保存手段は、情報受信手段において受信された自己識別情報を、設置位置情報導出手段において導出された設置位置情報と対応付けして第２記憶手段に保存する。
【００２１】
この設備機器対応付け支援システムでは、情報発信手段が、撮像手段において像が撮影されると第１記憶手段に記憶される自己識別情報と像の情報とを併せて発信する。続いて、設置位置情報導出手段が、像の情報を利用して設備機器の設置位置情報を導出する。そして、情報対応付け保存手段は、情報受信手段において受信された自己識別情報を、設置位置情報導出手段において導出された設置位置情報と対応付けして第２記憶手段に保存する。ここのため、この設備機器対応付け支援システムでは、複数の設備機器が集中管理機器に接続されている設備システムにおいて、サービスエンジニア等に大きな負担をかけることなく、簡便に、集中管理機器に設備機器のアドレスと設備機器の設置場所とを対応付けて保存することができる。
【発明の効果】
【００２２】
第１発明に係る設備機器対応付け支援システムでは、複数の設備機器が集中管理機器に接続されている設備システムにおいて、サービスエンジニア等に大きな負担をかけることなく、簡便に、集中管理機器に設備機器のアドレスと設備機器の設置場所とを対応付けて保存することができる。
第２発明に係る設備機器対応付け支援システムでは、複数の設備機器が集中管理機器に接続されている設備システムにおいて、サービスエンジニア等に大きな負担をかけることなく、簡便に、集中管理機器に設備機器のアドレスと設備機器の設置場所とを対応付けて保存することができる。
【００２３】
第３発明に係る設備機器対応付け支援システムでは、複数の設備機器が集中管理機器に接続されている設備システムにおいて、サービスエンジニア等に大きな負担をかけることなく、簡便に、集中管理機器に設備機器のアドレスと設備機器の設置場所とを対応付けて保存することができる。
第４発明に係る設備機器対応付け支援システムでは、サービスエンジニア等は、設備機器の設置位置を確認しながら対応付け作業を行うことができる。
【００２４】
第５発明に係る設備機器対応付け支援システムでは、サービスエンジニア等は、任意の順番で設備機器の設置位置を巡ることができる。
第６発明に係る設備機器対応付け支援システムでは、複数の設備機器が集中管理機器に接続されている設備システムにおいて、サービスエンジニア等に大きな負担をかけることなく、簡便に、集中管理機器に設備機器のアドレスと設備機器の設置場所とを対応付けて保存することができる。
【００２５】
第７発明に係る設備機器対応付け支援システムでは、複数の設備機器が集中管理機器に接続されている設備システムにおいて、サービスエンジニア等に大きな負担をかけることなく、簡便に、集中管理機器に設備機器のアドレスと設備機器の設置場所とを対応付けて保存することができる。
第８発明に係る設備機器対応付け支援システムでは、サービスエンジニア等が設備機器の設置位置を誤認するおそれを低減することができる。
【００２６】
第９発明に係る設備機器対応付け支援システムでは、サービスエンジニア等が設備機器の設置位置を誤認するおそれを低減することができる。
第１０発明に係る設備機器対応付け支援システムでは、サービスエンジニア等は、携帯情報処理装置を携帯していれば、自分自身で自身の居場所を確認することができる。したがって、この設備機器対応付け支援システムでは、サービスエンジニア等が設備機器の設置位置を誤認するおそれを低減することができる。
【００２７】
第１１発明に係る設備機器対応付け支援システムでは、複数の設備機器が集中管理機器に接続されている設備システムにおいて、サービスエンジニア等に大きな負担をかけることなく、簡便に、集中管理機器に設備機器のアドレスと設備機器の設置場所とを対応付けて保存することができる。
【発明を実施するための最良の形態】
【００２８】
＜第１実施形態＞
ここでは、先ず、図１〜図１０の図面を参照しながら本発明の第１実施形態に係るビルディングシステム１について説明する。
〔ビルディングシステム〕
このビルディングシステム１は、図１に示されるように、主に、マルチ式空調機２、通信アダプタ１０、空調コントローラ３、監視制御コンピュータ８、無線ＬＡＮアクセスポイント４、および位置データ導出サーバ５から構成されている。以下、これらの各構成要素について詳述する。
【００２９】
（１）マルチ式空調機
マルチ式空調機２では、図１に示されるように、１台（複数台であってもよい）の室外機２１に対して複数台の室内機２０が冷媒配管（図示せず）および第１通信線２２ａ，２２ｂを介して接続される。そして、この室内機２０は、室内熱交換器（図示せず）や、膨張弁（図示せず）、室内ファン（図示せず）、電装品ボックス２３（図２参照）、スイッチユニット１８等を備えている。この室内機２０では、室外機２１から室内熱交換器に流入する低温低圧の液冷媒あるいは高温高圧のガス冷媒と、室内ファンにより吸い込まれた室内空気などとの間で熱交換が行われ、熱交換後の室内空気などが室内ファンにより室内に供給される。このようにして、これらの室内機２０は、居室を冷房したり暖房したりする。また、電装品ボックス２３には、図２に示されるように、マイクロコンピュータ２４、第１ＥＥＰＲＯＭ２５、第１通信回路２６、第１入力インターフェイス１９、およびＡ／Ｄコンバータ（アナログ／デジタルコンバータ）２９等が内蔵されている。マイクロコンピュータ２４は、バス線２７ａ，２７ｂ，２７ｃ，２７ｄを介して第１ＥＥＰＲＯＭ２５、第１通信回路２６、Ａ／Ｄコンバータ２９、および第１入力インターフェイス１９に接続されている。第１通信回路２６は、第１通信線２２ａ，２２ｂおよび通信アダプタ１０を介して室外機２１および空調コントローラ３と通信接続されている。Ａ／Ｄコンバータ２９は、制御用通信線２８などを介して膨張弁や室内ファン等へ通信接続されている。第１入力インターフェイス１９は、第２通信線１７を介してスイッチユニット１８に通信接続されている。
【００３０】
マイクロコンピュータ２４は図示しない第１制御部および第１演算部を有しており、第１制御部は第１ＥＥＰＲＯＭ２５に記憶されている制御プログラムに記述される命令や、室外機２１または空調コントローラ３から送信される制御信号に従って、膨張弁の開度を制御したり、室内ファンの回転数を制御したり、第１ＥＥＰＲＯＭ２５に記憶されている各種データ等を第１通信線２２ａ，２２ｂおよび通信アダプタ１０を介して室外機２１や空調コントローラ３に送信したりする。また、第１演算部は、第１制御部の指示に従って、第１制御部、第１ＥＥＰＲＯＭ２５、または第１通信回路２６から必要なデータを取得して演算処理（例えば、算術演算処理や論理演算処理等）を行う。第１ＥＥＰＲＯＭ２５には、上述した制御プラグラムのみならず各室内機２０に固有の番号であるシリアル番号データ等が格納されている。スイッチ１８は、主に、図示しないスイッチ回路と、スイッチ回路に接続されるスイッチボタン１６とから構成されている。なお、本実施の形態では、このスイッチボタン１６がサービスエンジニア等により押されると、第１ＥＥＰＲＯＭ２５に格納されているシリアル番号データが無線ＬＡＮアクセスポイント４を介してエンジニアリング用コンピュータ７（後述）に送信されるようになっている。
【００３１】
（２）通信アダプタ
通信アダプタ１０は、主に、２つの第１通信線接続口（図示せず）、１つのイーサネットケーブル接続口（図示せず）、およびプロトコル変換部（図示せず）を備えている。第１通信線接続口には、室内機２０から延びる第１通信線２２ａおよび室外機２１から延びる第１通信線２２ｂが嵌め込まれる。イーサネットケーブル接続口には、無線ＬＡＮアクセスポイント４および位置データ導出サーバ５からルータ（図示せず）を介して延びるイーサネットケーブル９ａが嵌め込まれる。プロトコル変換部は、無線ＬＡＮアクセスポイント４や位置データ導出サーバ５において規定されている通信プロトコルと、マルチ式空調機２において規定されている通信プロトコルとを相互に変換する。
【００３２】
（３）空調コントローラ
空調コントローラ３は、マルチ式空調機２の集中管理機器であって、図３に示されるように、主に、第２中央処理部３１、第２ＲＡＭ（Random Access Memory）３２、第２ＲＯＭ（Read Only Memory）３４、第２ＥＥＰＲＯＭ３５、第２Ｉ／Ｏ制御部３３、空調機用インターフェイス３７、第２ＬＡＮインターフェイス３８、空調機用コネクタ３９、および第２ＬＡＮコネクタ４０から構成されている。ここで、第２中央処理部３１、第２ＲＡＭ３２、第２ＲＯＭ３４、第２ＥＥＰＲＯＭ３５、および第２Ｉ／Ｏ制御部３３は、例えば、マイクロコンピュータであって、相互に第１バス線３６によって接続されており、１つの集積回路を構成している。また、空調機用インターフェイス３７および第２ＬＡＮインターフェイス３８は、例えば、プリント回路基板等であって、第２バス線４３ａ，４３ｂを介して第２Ｉ／Ｏ制御部３３に接続されている。また、空調機用コネクタ３９は、第３通信線４４を介して空調機用インターフェイス３７に接続されている。また、第２ＬＡＮコネクタ４０は、第４通信線４５を介して第２ＬＡＮインターフェイス３８に接続されている。
【００３３】
第２中央処理部３１は、主に、第２制御部３１Ａおよび第２演算部３１Ｂを有する。第２制御部３１Ａは、図４に示されるように、第２ＲＯＭ３４に記憶されている空調管理プログラムを読み込み（Ｆｄ６参照）、読み込んだ空調管理プログラムに従って第２演算部３１Ｂ、第２ＲＡＭ３２、第２ＲＯＭ３４、第２ＥＥＰＲＯＭ３５、または第２Ｉ／Ｏ制御部３３に動作を指示する（Ｆｃ１〜Ｆｃ４参照）。第２演算部３１Ｂは、図４に示されるように、第２制御部３１Ａの指示に従って第２制御部３１Ａ、第２ＲＡＭ３２、第２ＲＯＭ３４、または第２ＥＥＰＲＯＭ３５から必要なデータを取得して（Ｆｄ１、Ｆｄ４、およびＦｄ７参照）演算処理（例えば、算術演算処理や論理演算処理等）を行う。また、この第２演算部３１Ｂは、第２制御部３１Ａの指示に従って、演算処理の処理結果データを第２制御部３１Ａに供給することができる（Ｆｄ２参照）。また、この第２演算部３１Ｂは、第２制御部３１Ａの指示に従って、演算処理の処理結果データを第２ＲＡＭ３２や第２ＥＥＰＲＯＭ３５に書き込むことができる（Ｆｄ３参照）。
【００３４】
第２ＲＡＭ３２は、図４に示されるように、第２制御部３１Ａの指示に従って、各種データを第２制御部３１Ａに供給することができる（Ｆｄ５参照）。また、この第２ＲＡＭ３２は、各種データを第２Ｉ／Ｏ制御部３３から取得して（Ｆｄ９参照）一時記憶したり、第２演算部３１Ｂから送信されるデータ（Ｆｄ３参照）を一時記憶したりする。また、この第２ＲＡＭ３２は、第２制御部３１Ａの指示に応じて一時記憶しているデータを第２Ｉ／Ｏ制御部３３に送信する（Ｆｄ８参照）。
【００３５】
第２ＲＯＭ３４には、空調管理プログラムや各種データが格納されている。そして、この第２ＲＯＭ３４は、図４に示されるように、第２制御部３１Ａの指示に従って、それらを第２制御部３１Ａに供給する（Ｆｄ６参照）。また、この第２ＲＯＭ３４は、第２制御部３１Ａの指示に従って、各種データを第２演算部３１Ｂに供給することができる（Ｆｄ７参照）。
【００３６】
第２ＥＥＰＲＯＭ３５は、電気的に書き換え可能なＲＯＭであり、室内機２０のシリアル番号データ、室内機２０の設置位置データ、マルチ式空調機２の監視データなどを記憶する。なお、本実施の形態では、室内機２０のシリアル番号データおよび設置位置データは、後述するエンジニアリング用コンピュータ７から、対応付けされたかたちで提供される。
【００３７】
第２Ｉ／Ｏ制御部３３は、マルチ式空調機２から送信されてくるデータや、後述する監視制御コンピュータ８から送信されるデータ等を第２ＲＡＭ３２へ入力したり（Ｆｄ９参照）、第２ＲＡＭ３２に記憶されている各種データや制御信号などをマルチ式空調機２や、監視制御コンピュータ８に送信したりする。
空調機用インターフェイス３７、および第２ＬＡＮインターフェイス３８は、通信線４４，４５を介して空調機用コネクタ３９および第２ＬＡＮコネクタ４０に接続されており、マルチ式空調機２から送信されてくるデータや、後述する監視制御コンピュータ８から送信されるデータ等を受信すると同時にそれらのデータを第２中央処理部３１が処理可能な形式に変換したり、第２Ｉ／Ｏ制御部３３からマルチ式空調機２や監視制御コンピュータ８に出力されるデータおよび制御信号などを、マルチ式空調機２や監視制御コンピュータ８が処理可能な形式に変換したりする。
【００３８】
空調機用コネクタ３９には、図３に示されるように、第８通信線３０を介してマルチ式空調機２の室外機２１が接続される。
第２ＬＡＮコネクタ４０には、図３に示されるように、イーサネットケーブル９ｂを介して監視制御コンピュータ８が接続される。
（４）監視制御コンピュータ
監視制御コンピュータ８は、図５に示されるように、主に、第３本体８０、第３入力装置８９、および第３ディスプレイ９０から構成されている。
【００３９】
第３本体８０は、図５に示されるように、主に、第３中央処理部８１、第３メインメモリ８３、第３ハードディスク８４、第３接続部８２、第３ＩＤＥインターフェイス８５、第３入力インターフェイス８６、第３ディスプレイインターフェイス８７、第３ＬＡＮインターフェイス８８、および第３ＬＡＮコネクタ９６から構成されている。そして、この第３本体８０では、第３中央処理部８１が第３バス線９１を介して、第３メインメモリ８３が第４バス線９２を介して、各種インターフェイス８５〜８８が第５バス線９３を介して第３接続部８２に接続されている。
【００４０】
ここで、第３中央処理部８１は、例えば、マイクロプロセッサと呼ばれる半導体チップ等であって、主に、第３制御部８１Ａおよび第３演算部８１Ｂから構成される（他に１次キャッシュメモリや２次キャッシュメモリ等を含んでいてもよい）。
第３メインメモリ８３は、例えば、ＲＡＭ（ランダムアクセスメモリ）等の半導体チップである。第３接続部８２は、チップセット等の半導体チップである。
【００４１】
第３ハードディスク８４には、図６に示されるように、オペレーティングシステム８４ａ、デバイスドライバ８４ｂ、および空調管理アプリケーション８４ｃ等のプログラム等が格納されている。なお、この第３ハードディスク８４は、外付けタイプであってもかまわない。オペレーティングシステム８４ａは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部８２〜８４、各種インターフェイス８５〜８８、各装置８９，９０等のハードウェア管理や、ユーザインターフェイスの提供、各種データの管理、アプリケーションの共通部分の処理等を行う。デバイスドライバ８４ｂは、第３ハードディスク８４、第３接続部８２、および各装置８９，９０それぞれに対して用意されている専用プログラムであって、オペレーティングシステム８４ａが第３ハードディスク８４、第３接続部８２、および各装置８９，９０を制御するための橋渡しを行う。空調管理アプリケーション８４ｃは、空調コントローラ３から各種データを取得して第３ディスプレイ９０上に表示したり、第３入力装置８９により入力されたデータを空調コントローラ３に送信したりするためのプログラムである。
【００４２】
第３ＩＤＥ（Integrated Drive Electronics）インターフェイス８５は、第３ハードディスク８４を第３接続部８２に接続する。第３入力インターフェイス８６は、例えば、ＰＳ／２、ＵＳＢ、ＩＥＥＥ１２８４、ＲＳ２３２、あるいはＩｒＤＡ（Infrared Data Association）等のインターフェイスであって、第３メインメモリ８３にデータを入力するためのキーボード、マウス、スキャナ、あるいはＯＣＲ（Optical Character Reader）等といった第３入力装置８９を接続する。第３ディスプレイインターフェイス８７は、例えば、ＡＧＰ（Accelerated Graphics Port）、ＰＣＩ（Peripheral Component Interconnect）、あるいはＲＳ２３２等のインターフェイスであって、第３メインメモリ８３から送信されてきたデータを文字や画像として表示するためのＣＲＴディスプレイ、液晶ディスプレイ、あるいはプラズマディスプレイ等といった第３ディスプレイ９０を接続する。第３ＬＡＮインターフェイス８８は、第５通信線９５を介して第３ＬＡＮコネクタ９６に接続されており、空調コントローラ３から送信されるデータ等を受信すると同時にそれらのデータを第３中央処理部８１が処理可能な形式に変換したり、空調コントローラ３に出力されるデータおよび制御信号などを、空調コントローラ３が処理可能な形式に変換したりする。
【００４３】
第３ＬＡＮコネクタ９６には、図５に示されるように、イーサネットケーブル９ｂおよびルータ（図示せず）を介して空調コントローラ３が接続される。
次に、図７を用いて監視制御コンピュータ８の動作について説明する。
第３制御部８１Ａは、図７に示されるように、第３メインメモリ８３に一時記憶されるプログラムを読み込み（Ｆｄ６参照）、読み込んだプログラムに従って各部８２〜８４および各装置８９，９０に動作を指示する（Ｆｃ１〜Ｆｃ６参照）。第３演算部８１Ｂは、第３制御部８１Ａの命令に従って第３メインメモリ８３から必要なデータを取得して（Ｆｄ２参照）演算処理（例えば、算術演算処理や論理演算処理等）を行う。第３メインメモリ８３は、プログラムやデータ等を第３ハードディスク８４から取得して（Ｆｄ４参照）一時記憶したり、第３入力装置８９において入力されたデータを一時記憶したり（Ｆｄ１参照）、第３演算部８１Ｂや第３ＬＡＮインターフェイス８８等から送信されるデータ等（Ｆｄ３およびＦｄ９参照）を一時記憶したりする。また、この第３メインメモリ８３は、第３制御部８１Ａの命令に応じて一時記憶しているデータ等を各部８２〜８４および各装置８９，９０に送信する（Ｆｄ２、Ｆｄ５、Ｆｄ７、およびＦｄ８参照）。第３ハードディスク８４は、第３制御部８１Ａの命令に応じて第３メインメモリ８３にプログラムやデータ等を供給したり（Ｆｄ４参照）第３メインメモリ８３から送信されるデータ等を格納したりする（Ｆｄ５参照）。
【００４４】
（５）無線ＬＡＮアクセスポイント
無線ＬＡＮアクセスポイント４は、マルチ式空調機２や位置データ導出サーバ５とエンジニアリング用コンピュータ７（後述）とを無線通信接続させるための装置である。なお、この無線ＬＡＮアクセスポイント４は、エンジニアリング用コンピュータ７からデータが送信されるときに発せられる電波の強度を測定して電波強度データを生成することができ、その生成した電波強度データを、エンジニアリング用コンピュータ７から送信されるデータとともに位置データ導出サーバ５へ送信する。また、この無線ＬＡＮアクセスポイント４は、各居室に必ず３台以上配置される。
【００４５】
（６）位置データ導出サーバ
位置データ導出サーバ５は、図８に示されるように、主に、第４中央処理部５１、第４メインメモリ５３、第４ハードディスク５４、第４接続部５２、第４ＩＤＥインターフェイス５５、第４ＬＡＮインターフェイス５６、および第４ＬＡＮコネクタ５７から構成されている。そして、この位置データ導出サーバ５では、第４中央処理部５１が第６バス線５８を介して、第４メインメモリ５３が第７バス線５９を介して、各種インターフェイス５５，５６が第８バス線６０を介して第４接続部５２に接続されている。
【００４６】
ここで、第４中央処理部５１は、例えば、マイクロプロセッサと呼ばれる半導体チップ等であって、主に、第４制御部５１Ａおよび第４演算部５１Ｂから構成される（他に１次キャッシュメモリや２次キャッシュメモリ等を含んでいてもよい）。
第４メインメモリ５３は、例えば、ＲＡＭ（ランダムアクセスメモリ）等の半導体チップである。第４接続部５２は、チップセット等の半導体チップである。
【００４７】
第４ハードディスク５４には、図９に示されるように、オペレーティングシステム５４ａ、デバイスドライバ５４ｂ、および位置データ導出アプリケーション５４ｃ等のプログラム等が格納されている。なお、この第４ハードディスク５４は、外付けタイプであってもかまわない。オペレーティングシステム５４ａは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部５２〜５４、各種インターフェイス５５，５６等のハードウェア管理や、ユーザインターフェイスの提供、各種データの管理、アプリケーションの共通部分の処理等を行う。デバイスドライバ５４ｂは、ハードディスク５４および接続部５２それぞれに対して用意されている専用プログラムであって、オペレーティングシステム５４ａが第４ハードディスク５４および第４接続部５２を制御するための橋渡しを行う。位置データ導出アプリケーション５４ｃは、３台以上の無線ＬＡＮアクセスポイント４から送信されてくる電波強度データを利用してエンジニアリング用コンピュータ７の位置データ（平面座標データ）を導出し、導出した位置データをエンジニアリング用コンピュータ７に送信するためのプログラムである。
【００４８】
第４ＩＤＥ（Integrated Drive Electronics）インターフェイス５５は、第４ハードディスク５４を第４接続部５２に接続する。第４ＬＡＮインターフェイス５６は、第６通信線６１を介して第４ＬＡＮコネクタ５７に接続されており、無線ＬＡＮアクセスポイント４から送信される電波強度データ等を受信すると同時にそれらのデータを第４中央処理部５１が処理可能な形式に変換したり、空調コントローラ３に出力されるデータおよび制御信号などを、空調コントローラ３が処理可能な形式に変換したりする。
【００４９】
第４ＬＡＮコネクタ５７には、図８に示されるように、イーサネットケーブル９ａおよびルータ（図示せず）を介して複数の無線ＬＡＮアクセスポイント４が接続される。
次に、図１０を用いて位置データ導出サーバ５の動作について説明する。
第４制御部５１Ａは、図１０に示されるように、第４メインメモリ５３に一時記憶されるプログラムを読み込み（Ｆｄ６参照）、読み込んだプログラムに従って各部５２〜５４に動作を指示する（Ｆｃ２〜Ｆｃ５参照）。第４演算部５１Ｂは、第４制御部５１Ａの命令に従って第４メインメモリ５３から必要なデータを取得して（Ｆｄ２参照）演算処理（例えば、算術演算処理や論理演算処理等）を行う。第４メインメモリ５３は、プログラムやデータ等を第４ハードディスク５４から取得して（Ｆｄ４参照）一時記憶したり、第４演算部５１Ｂや第４ＬＡＮインターフェイス５６等から送信されるデータ等（Ｆｄ３およびＦｄ９参照）を一時記憶したりする。また、この第４メインメモリ５３は、第４制御部５１Ａの命令に応じて一時記憶しているデータ等を各部５２〜５４に送信する（Ｆｄ２、Ｆｄ５、およびＦｄ８参照）。第４ハードディスク５４は、第４制御部５１Ａの命令に応じて第４メインメモリ５３にプログラムやデータ等を供給したり（Ｆｄ４参照）第４メインメモリ５３から送信されるデータ等を格納したりする（Ｆｄ５参照）。
【００５０】
〔エンジニアリング用コンピュータ〕
ここでは、図１１〜１３の図面を参照しながら本発明の実施の形態に係るエンジニアリング用コンピュータ７について説明する。なお、本実施の形態では、ビルディングシステム１とエンジニアリング用コンピュータ７とを合わせて室内機対応付け支援システムという。
【００５１】
エンジニアリング用コンピュータ７は、サービスエンジニア等が携帯するノート型パーソナルコンピュータであって、図１１に示されるように、主に、第５中央処理部７１、第５メインメモリ７３、第５ハードディスク７４、第５接続部７２、第５ＩＤＥインターフェイス７５、第５入力インターフェイス７６、第５ディスプレイインターフェイス７７、無線ＬＡＮインターフェイス７８、第５入力部７９、第５ディスプレイ部４６、および無線送受信部４７から構成されている。そして、このエンジニアリング用コンピュータ７では、第５中央処理部７１が第９バス線４１を介して、第５メインメモリ７３が第１０バス線４２を介して、各種インターフェイス７５〜７８が第１１バス線４９を介して第５接続部７２に接続されている。
【００５２】
ここで、第５中央処理部７１は、例えば、マイクロプロセッサと呼ばれる半導体チップ等であって、主に、第５制御部７１Ａおよび第５演算部７１Ｂから構成される（他に１次キャッシュメモリや２次キャッシュメモリ等を含んでいてもよい）。
第５メインメモリ７３は、例えば、ＲＡＭ（ランダムアクセスメモリ）等の半導体チップである。第５接続部７２は、チップセット等の半導体チップである。
【００５３】
第５ハードディスク７４には、図１２に示されるように、オペレーティングシステム７４ａ、デバイスドライバ７４ｂ、位置データ表示アプリケーション７４ｃ、室内機バインディングアプリケーション７４ｄ等のプログラム、およびデータベース７４ｅ等が格納されている。オペレーティングシステム７４ａは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部４６，７２〜７４，７９、各種インターフェイス７５〜７８等のハードウェア管理や、ユーザインターフェイスの提供、各種データの管理、アプリケーションの共通部分の処理等を行う。デバイスドライバ７４ｂは、第５ハードディスク７４、第５接続部７２、および各部４６，７９それぞれに対して用意されている専用プログラムであって、オペレーティングシステム７４ａが第５ハードディスク７４、第５接続部７２、および各部４６，７９を制御するための橋渡しを行う。位置データ表示アプリケーション７４ｃは、位置データ導出サーバ５から無線ＬＡＮアクセスポイント４を介して送信されてくるエンジニアリング用コンピュータ７の位置データをビルのフロアレイアウト図上に表示する。なお、このフロアレイアウト図には、室内機２０のレイアウトも反映されている。室内機バインディングアプリケーション７４ｄは、室内機２０から無線ＬＡＮアクセスポイント４を介して発信されるシリアル番号データを無線送受信部４７が受信すると、予めデータベース７４ｅに登録される室内機２０の設置位置データのうち第５ディスプレイ部４６上で選択されている特定の設置位置データに、そのシリアル番号データを対応付けてデータベース７４ｅに格納するためのプログラムである。
【００５４】
第５ＩＤＥ（Integrated Drive Electronics）インターフェイス７５は、第５ハードディスク７４を第５接続部７２に接続する。第５入力インターフェイス７６は、第５メインメモリ７３にデータを入力するためのキーボード、トラックボールやタッチパッド等のポインティングデバイス等といった第５入力部７９を接続する。第５ディスプレイインターフェイス７７は、例えば、ＡＧＰ（Accelerated Graphics Port）、ＰＣＩ（Peripheral Component Interconnect）、あるいはＲＳ２３２等のインターフェイスであって、第５メインメモリ７３から送信されてきたデータを文字や画像として表示するための第５ディスプレイ部４６を接続する。無線ＬＡＮインターフェイス７８は、第７通信線４８を介して無線送受信部４７に接続されており、無線ＬＡＮアクセスポイント４から送信されるデータ等を受信すると同時にそれらのデータを第５中央処理部７１が処理可能な形式に変換したり、無線ＬＡＮアクセスポイント４に出力されるデータ等を、位置データ導出サーバ５が処理可能な形式に変換したりする。
【００５５】
次に、図１３を用いてエンジニアリング用コンピュータ７の動作について説明する。
第５制御部７１Ａは、図１３に示されるように、第５メインメモリ７３に一時記憶されるプログラムを読み込み（Ｆｄ６参照）、読み込んだプログラムに従って各部４６，７２〜７４，７９に動作を指示する（Ｆｃ１〜Ｆｃ６参照）。第５演算部７１Ｂは、第５制御部７１Ａの命令に従って第５メインメモリ７３から必要なデータを取得して（Ｆｄ２参照）演算処理（例えば、算術演算処理や論理演算処理等）を行う。第５メインメモリ７３は、プログラムやデータ等を第５ハードディスク７４から取得して（Ｆｄ４参照）一時記憶したり、第５入力部７９において入力されたデータを一時記憶したり（Ｆｄ１参照）、第５演算部７１Ｂや無線ＬＡＮインターフェイス７８等から送信されるデータ等（Ｆｄ３およびＦｄ９参照）を一時記憶したりする。また、この第５メインメモリ７３は、第５制御部７１Ａの命令に応じて一時記憶しているデータ等を各部４６，７２〜７４，７９に送信する（Ｆｄ２、Ｆｄ５、Ｆｄ７、およびＦｄ８参照）。第５ハードディスク７４は、第５制御部７１Ａの命令に応じて第５メインメモリ７３にプログラムやデータ等を供給したり（Ｆｄ４参照）第５メインメモリ７３から送信されるデータ等を格納したりする（Ｆｄ５参照）。
【００５６】
〔サービスエンジニア等による室内機のシリアル番号データと設置位置データとの対応付け作業の準備〕
サービスエンジニア等は、室内機２０のシリアル番号データと設置位置データとの対応付け作業を開始する前に、建造物の設計図面などを参照して室内機２０の設置位置を確認しながら、エンジニアリング用コンピュータ７に室内機２０の設置位置データを入力していく。
【００５７】
また、サービスエンジニア等は、無線ＬＡＮを利用してエンジニアリング用コンピュータ７をビルディングシステム１に通信接続しておく。
〔サービスエンジニア等による室内機のシリアル番号データと設置位置データとの対応付け作業〕
サービスエンジニア等は、室内機２０のシリアル番号データと設置位置データとの対応付け作業を開始するに当たって、先ず、エンジニアリング用コンピュータ７に表示されるビルのフロアレイアウト図を見ながらいずれの室内機２０について対応付け作業を行うかを決める。サービスエンジニア等は、対応付け作業を行う室内機２０を決定すると、エンジニアリング用コンピュータ７を携帯し、フロアレイアウト図を参照しながらその室内機２０へと赴く。なお、このとき、フロアレイアウト図上には位置データ表示アプリケーション７４ｃによりサービスエンジニア等の位置データの軌跡が表示されるので、サービスエンジニア等は、自身が正しい室内機２０へ向かっているのかを確認することができる。そして、サービスエンジニア等は、目的の室内機２０の設置位置に到着すると、エンジニアリング用コンピュータ７に表示される複数の設置位置データのうち目的の室内機２０の設置位置に該当する設置位置データを選択する。
【００５８】
次に、サービスエンジニア等は、エンジニアリング用コンピュータ７が無線ＬＡＮによりビルディングシステム１に接続されているかを確認した上で、その室内機２０に設けられているスイッチボタン１６を押す。すると、その室内機２０では、第１通信回路２６が、第１ＥＥＰＲＯＭ２５からシリアル番号を読み出し、そのシリアル番号データを通信アダプタ１０および無線ＬＡＮアクセスポイント４を介してエンジニアリング用コンピュータ７に送信する。エンジニアリング用コンピュータ７の無線送受信部４７によって受信されたシリアル番号データは、第５接続部７２を介して第５メインメモリ７３に送信されて一時的に記憶される。続いて、第５演算部７１Ｂが、第５制御部７１Ａの指示に従って、第５メインメモリ７２に一時的に記憶されているシリアル番号データを、第５ディスプレイ部４６上で選択されている設置位置データと対応付ける（例えば、シリアル番号データに、設置位置データと同じＩＤ番号データを付す等が考えられる）。この後、第５演算部７１Ｂは、第５制御部７１Ａの指示に従って、設置位置データと対応付けられたシリアル番号データを第５ハードディスク７４に格納する。なお、この一連の情報処理の流れは、上述した室内機バインディングプログラム７４ｄの実行によって実現されている。
【００５９】
サービスエンジニア等は、上記の作業を全ての室内機２０について行う。
サービスエンジニア等は、全ての室内機２０について上記の対応付け作業が完了すると、空調コントローラ３に戻り、無線ＬＡＮを利用してエンジニアリング用コンピュータ７から、互いに対応付けられたシリアル番号データと設置位置データとを空調コントローラ３に転送する。すると、空調コントローラ３は、互いに対応付けられたシリアル番号データと設置位置データとを第２ＥＥＰＲＯＭ３５に格納する。
【００６０】
〔空調コントローラによる通信専用アドレスの付与〕
図１４には、空調コントローラによる通信専用アドレスの付与の流れを表すフローチャートを示す。
図１４において、ステップＳ１では、第２ＲＡＭ３２が、第２制御部３１Ａの指示に従って、第２ＥＥＰＲＯＭ３５からシリアル番号データを読み込む。
【００６１】
ステップＳ２では、第２演算部３１Ｂが、第２制御部３１Ａの指示に従って、第２ＲＡＭ３２からシリアル番号データを読み込み、シリアル番号データそれぞれに対してランダムに固有の通信専用アドレスを付与し、それらのデータを第２ＲＡＭ３２に書き込む。
ステップＳ３では、第２Ｉ／Ｏ制御部３３が、第２制御部３１Ａの指示に従って、第２ＲＡＭ３２に書き込まれているシリアル番号データと、そのシリアル番号データそれぞれに付与されている通信専用アドレスとを、第８通信線３０を介して各シリアル番号データに対応する室内機２０それぞれに対して送信する。
【００６２】
ステップＳ４では、各室内機２において、第１通信回路２６が、第１制御部の指示に従って、空調コントローラ３から送信されてきたシリアル番号データと通信専用アドレスとを受信する。
ステップＳ５では、第１演算部が、第１制御部の指示に従って、空調コントローラ３から送信されてきたシリアル番号データと、第１ＥＥＰＲＯＭ２５に格納されているシリアル番号データとが一致するかを判定する。ステップＳ５の第１演算部の判定の結果、空調コントローラ３から送信されてきたシリアル番号データと、第１ＥＥＰＲＯＭ２５に格納されているシリアル番号データとが一致する場合、処理はステップＳ６に移る。ステップＳ５の第１演算部の判定の結果、空調コントローラ３から送信されてきたシリアル番号データと、第１ＥＥＰＲＯＭ２５に格納されているシリアル番号データとが一致しない場合、処理はステップＳ７に移る。
【００６３】
ステップＳ６では、第１制御部が、通信専用アドレスを第１ＥＥＰＲＯＭ２５に書き込む。
ステップＳ７では、第１制御部が、通信専用アドレスを破棄する（第１ＥＥＰＲＯＭ２５に書き込まずに放置する）。
なお、本実施の形態では、上記の処理が全てのシリアル番号データについて完了するまで繰り返される。
【００６４】
〔室内機対応付け支援システムの特徴〕
（１）
第１実施形態に係る室内機対応付け支援システムでは、サービスエンジニア等は、目的の室内機２０の設置位置に到着すると、エンジニアリング用コンピュータ７に表示される複数の設置位置データのうち目的の室内機２０の設置位置に該当する設置位置データを選択する。次に、サービスエンジニア等は、エンジニアリング用コンピュータ７が無線ＬＡＮによりビルディングシステム１に接続されているかを確認した上で、その室内機２０に設けられているスイッチボタン１６を押す。すると、その室内機２０では、第１通信回路２６が、第１ＥＥＰＲＯＭ２５からシリアル番号を読み出し、そのシリアル番号データを通信アダプタ１０および無線ＬＡＮアクセスポイント４を介してエンジニアリング用コンピュータ７に送信する。エンジニアリング用コンピュータ７の無線送受信部４７によって受信されたシリアル番号データは、第５接続部７２を介して第５メインメモリ７３に送信されて一時的に記憶される。続いて、第５演算部７１Ｂが、第５制御部７１Ａの指示に従って、第５メインメモリ７２に一時的に記憶されているシリアル。この後、第５演算部７１Ｂは、第５制御部７１Ａの指示に従って、設置位置データと対応付けられたシリアル番号データを第５ハードディスク７４に格納する。このため、この室内機対応付け支援システムでは、サービスエンジニア等に大きな負担をかけることなく、簡便に、空調コントローラ３に室内機２０のシリアル番号データと設置位置データとを対応付けて保存することができる。
【００６５】
（２）
第１実施形態に係る室内機対応付け支援システムでは、エンジニアリング用コンピュータ７の第５ディスプレイ部４６に複数の室内機２０の設置位置データが表示され、サービスエンジニア等は、それらの設置位置データのうち目的の室内機２０の設置位置に該当する設置位置データを選択することができる。そして、エンジニアリング用コンピュータ７は、スイッチボタン１６を押すことにより室内機２０から送信されてくるシリアル番号データを、選択された設置位置データに対応付けて第５ハードディスク７４に格納する。このため、この室内機対応付け支援システムでは、サービスエンジニア等は、室内機２０の設置位置データを確認しながらシリアル番号データと設置位置データとを対応付け作業を行うことができる。また、この室内機対応付け支援システムでは、サービスエンジニア等は、任意の順番で室内機２０の設置位置を巡ることができる。
【００６６】
（３）
第１実施形態に係る室内機対応付け支援システムでは、位置データ表示アプリケーション７４ｃによりエンジニアリング用コンピュータ７の第５ディスプレイ部４６にビルのフロアレイアウト図が表示され、さらにそのフロアレイアウト図に室内機２０の配置レイアウトが反映されている。そしてさらに、そのフロアレイアウト図上には、位置データ表示アプリケーション７４ｃによりサービスエンジニア等の位置データの軌跡が表示される。このため、この室内機対応付け支援システムでは、サービスエンジニア等が室内機の設置位置を誤認するおそれを低減することができる。
【００６７】
〔変形例〕
（Ａ）
第１実施形態に係る室内機対応付け支援システムでは、室内機２０にスイッチユニット１８が設けられ、スイッチボタン１６がサービスエンジニア等により押されると、第１ＥＥＰＲＯＭ２５に格納されているシリアル番号データが無線ＬＡＮアクセスポイント４を介してエンジニアリング用コンピュータ７に送信されるようになっていた。しかし、シリアル番号データ送信のきっかけはこのようなスイッチボタン１６に限られない。室内機２０にカメラ等の撮像装置が搭載されている場合にはその撮像装置を利用してもかまわない。かかる場合、撮像装置は、第１入力インターフェイス１９を介してマイコン２４に通信接続される。そして、第１ＥＥＰＲＯＭ２５に、ある特定の画像を認識するとシリアル番号データを送信する画像識別プログラムを保持させておく。また、エンジニアリング用コンピュータ７に、全ての室内機２０に搭載される撮像装置に対して撮像命令信号を送信する機能を設けておく（プログラム等でよい）。そして、この状態において、サービスエンジニア等が、ある特定の画像に対応するものを撮像装置に向けた状態で、エンジニアリング用コンピュータ７を操作し、撮像命令信号を送信する。すると、特定の画像を認識した撮像装置が搭載される室内機２０の第１通信回路２６からその室内機２０のシリアル番号データが無線ＬＡＮアクセスポイント４を介してエンジニアリング用コンピュータ７に送信される。
【００６８】
（Ｂ）
第１実施形態に係る室内機対応付け支援システムでは、室内機２０にスイッチユニット１８が設けられ、スイッチボタン１６がサービスエンジニア等により押されると、第１ＥＥＰＲＯＭ２５に格納されているシリアル番号データが無線ＬＡＮアクセスポイント４を介してエンジニアリング用コンピュータ７に送信されるようになっていた。しかし、空調コントローラ３に室内機バインディングアプリケーション７４ｄおよびデータベース７４ｅ等を移植し、スイッチボタン１６がサービスエンジニア等により押されると、第１ＥＥＰＲＯＭ２５に格納されているシリアル番号データが空調コントローラ３に送信されるようにしてもよい。かかる場合、エンジニアリング用コンピュータ７は不要となる。つまり、サービスエンジニア等は、空調コントローラ３において、予め巡回する室内機２０の順番を決めておき、その順番通りに設置位置データを並べておく。そして、サービスエンジニア等は、その順番通りに室内機２０のスイッチボタン１６を押していく。このとき、送信されてくるシリアル番号データを室内機バインディングアプリケーション７４ｄが上から順に設置位置データと対応付けていくようにしておけば、第１実施形態に係る室内機対応付け支援システムと同様の効果が得られることになる。
【００６９】
（Ｃ）
第１実施形態に係る室内機対応付け支援システムでは、互いに対応付けられたシリアル番号データと設置位置データとがエンジニアリング用コンピュータ７から第２ＥＥＰＲＯＭ３５に転送された後に、各室内機２０に対して固有の通信専用アドレスが付与された。しかし、互いに対応付けられたシリアル番号データと設置位置データとがエンジニアリング用コンピュータ７から第２ＥＥＰＲＯＭ３５に転送される前に、各室内機２０に対して固有の通信専用アドレスが付与されていてもよい（例えば、特許２６９９７３４号明細書参照）。かかる場合、図１５に示されるフローチャートに従って、各室内機２０に固有の通信専用アドレスと設置位置データとが対応付けられる。
【００７０】
図１５においてステップＳ１１では、第２ＲＡＭ３２が、第２制御部３１Ａの指示に従って、第２ＥＥＰＲＯＭ３５から通信専用アドレスを読み込む。
ステップＳ１２では、第２制御部３１Ａが、第２ＲＡＭ３２に記憶されている通信専用アドレスに対応する室内機２０に対してシリアル番号データの送信を要求する。
ステップＳ１３では、通信専用アドレスに対応する室内機２０の第１通信回路２６が、第１制御部の指示に従って、第１ＥＥＰＲＯＭ２５に保存されているシリアル番号データを、空調コントローラ３に送信する。
【００７１】
ステップＳ１４では、第２Ｉ／Ｏ制御部３３が、第２制御部３１Ａに従って、第１通信回路２６から送信されてくるシリアル番号データを受信し、第２ＲＡＭ３２に一時記憶する。
ステップＳ１５では、第２演算部３１Ｂが、第２制御部３１Ａの指示に従って、第２ＲＡＭ３２から、シリアル番号データとステップＳ１１において記憶された通信専用アドレスとを取得する。
【００７２】
ステップＳ１６では、第２演算部３１Ｂが、第２制御部３１Ａの指示に従って、第２ＥＥＰＲＯＭ３５に保存されている「互いに対応付けられたシリアル番号データと設置位置データと」を参照して、ステップＳ１５において取得されたシリアル番号データに対応する設置位置データを導出する。
ステップＳ１７では、第２演算部３１Ｂが、第２制御部３１Ａの指示に従って、ステップＳ１６において導出された設置位置データを、ステップＳ１１において第２ＲＡＭ３２に記憶された通信専用アドレスに対応付けて第２ＥＥＰＲＯＭ３５に保存する。
【００７３】
なお、本変形例では、上記の処理が全ての通信専用アドレスについて完了するまで繰り返される。
＜第２実施形態＞
ここでは、先ず、図１６〜図Ｘの図面を参照しながら本発明の第２実施形態に係るビルディングシステム１０１について説明する。
【００７４】
〔ビルディングシステム〕
このビルディングシステム１０１は、図１６に示されるように、主に、マルチ式空調機１０２、通信アダプタ１１０、空調コントローラ１０３、および監視制御コンピュータ１０８から構成されている。以下、これらの各構成要素について詳述する。
（１）マルチ式空調機
マルチ式空調機１０２では、図１６に示されるように、１台（複数台であってもよい）の室外機１２１に対して複数台の室内機１２０が冷媒配管（図示せず）および第１１通信線１２２ａ，１２２ｂを介して接続される。そして、この室内機１２０は、室内熱交換器（図示せず）や、膨張弁（図示せず）、室内ファン（図示せず）、電装品ボックス１２３（図２参照）、カメラ１１８等を備えている。この室内機１２０では、室外機１２１から室内熱交換器に流入する低温低圧の液冷媒あるいは高温高圧のガス冷媒と、室内ファンにより吸い込まれた室内空気などとの間で熱交換が行われ、熱交換後の室内空気などが室内ファンにより室内に供給される。このようにして、これらの室内機１２０は、居室を冷房したり暖房したりする。また、電装品ボックス１２３には、図１７に示されるように、マイクロコンピュータ１２４、第１１ＥＥＰＲＯＭ１２５、第１１通信回路１２６、第１１入力インターフェイス１１９、およびＡ／Ｄコンバータ（アナログ／デジタルコンバータ）１２９等が内蔵されている。マイクロコンピュータ１２４は、バス線１２７ａ，１２７ｂ，１２７ｃ，１２７ｄを介して第１１ＥＥＰＲＯＭ１２５、第１１通信回路１２６、Ａ／Ｄコンバータ１２９、および第１１入力インターフェイス１１９に接続されている。第１１通信回路１２６は、第１１通信線１２２ａ，１２２ｂおよび通信アダプタ１１０を介して室外機１２１および空調コントローラ１０３と通信接続されている。Ａ／Ｄコンバータ１２９は、制御用通信線１２８などを介して膨張弁や室内ファン等へ通信接続されている。第１１入力インターフェイス１１９は、第１２通信線１１７を介してカメラ１１８に通信接続されている。
【００７５】
マイクロコンピュータ１２４は図示しない第１１制御部および第１１演算部を有しており、第１１制御部は第１１ＥＥＰＲＯＭ１２５に記憶されている制御プログラムに記述される命令や、室外機１２１または空調コントローラ１０３から送信される制御信号に従って、膨張弁の開度を制御したり、室内ファンの回転数を制御したり、第１１ＥＥＰＲＯＭ１２５に記憶されている各種データ等を第１１通信線１２２ａ，１２２ｂおよび通信アダプタ１１０を介して室外機１２１や空調コントローラ１０３に送信したりする。また、第１１演算部は、第１１制御部の指示に従って、第１１制御部、第１１ＥＥＰＲＯＭ１２５、または第１１通信回路１２６から必要なデータを取得して演算処理（例えば、算術演算処理や論理演算処理等）を行う。第１１ＥＥＰＲＯＭ１２５には、上述した制御プラグラムのみならず各室内機１２０に固有の番号であるシリアル番号データ等が格納されている。カメラ１１８は、第１１通信線１２２ａ，１１２ｂを介して送信されてくる撮像指令が第１１通信回路１２６により受信されると、周囲の像を撮影する。なお、本実施の形態では、カメラ１１８が撮像処理を実行すると、第１１通信回路１２６が、カメラ１１８の撮像データと第１ＥＥＰＲＯＭ２５に格納されているシリアル番号データとを併せてエンジニアリング用コンピュータ１０７（後述）に送信する。
【００７６】
（２）通信アダプタ
通信アダプタ１１０は、主に、２つの第１１通信線接続口（図示せず）、１つのイーサネットケーブル接続口（図示せず）、およびプロトコル変換部（図示せず）を備えている。第１１通信線接続口には、室内機１２０から延びる第１１通信線１２２ａおよび室外機１２１から延びる第１１通信線１２２ｂが嵌め込まれる。イーサネットケーブル接続口には、イーサネットケーブル１０９ａが嵌め込まれる。なお、このイーサネットケーブル１０９ａの反対側は、後述するエンジニアリング用コンピュータ１０７に設けられるイーサネットケーブル接続口に嵌め込まれる。プロトコル変換部は、エンジニアリング用コンピュータ１０７において規定されている通信プロトコルと、マルチ式空調機２において規定されている通信プロトコルとを相互に変換する。
【００７７】
（３）空調コントローラ
空調コントローラ１０３は、マルチ式空調機１０２の集中管理機器であって、図１８に示されるように、主に、第１２中央処理部１３１、第１２ＲＡＭ（Random Access Memory）１３２、第１２ＲＯＭ（Read Only Memory）１３４、第１２ＥＥＰＲＯＭ１３５、第１２Ｉ／Ｏ制御部１３３、空調機用インターフェイス１３７、第１２ＬＡＮインターフェイス１３８、空調機用コネクタ１３９、および第１２ＬＡＮコネクタ１４０から構成されている。ここで、第１２中央処理部１３１、第１２ＲＡＭ１３２、第１２ＲＯＭ１３４、第１２ＥＥＰＲＯＭ１３５、および第１２Ｉ／Ｏ制御部１３３は、例えば、マイクロコンピュータであって、相互に第２１バス線１３６によって接続されており、１つの集積回路を構成している。また、空調機用インターフェイス１３７および第１２ＬＡＮインターフェイス１３８は、例えば、プリント回路基板等であって、第２２バス線１４３ａ，１４３ｂを介して第１２Ｉ／Ｏ制御部１３３に接続されている。また、空調機用コネクタ１３９は、第１３通信線１４４を介して空調機用インターフェイス１３７に接続されている。また、第１２ＬＡＮコネクタ１４０は、第１４通信線１４５を介して第１２ＬＡＮインターフェイス１３８に接続されている。
【００７８】
第１２中央処理部１３１は、主に、第１２制御部１３１Ａおよび第１２演算部１３１Ｂを有する。第１２制御部１３１Ａは、図１９に示されるように、第１２ＲＯＭ１３４に記憶されている空調管理プログラムを読み込み（Ｆｄ６参照）、読み込んだ空調管理プログラムに従って第１２演算部１３１Ｂ、第１２ＲＡＭ１３２、第１２ＲＯＭ１３４、第１２ＥＥＰＲＯＭ１３５、または第１２Ｉ／Ｏ制御部１３３に動作を指示する（Ｆｃ１〜Ｆｃ４参照）。第１２演算部１３１Ｂは、図１９に示されるように、第１２制御部１３１Ａの指示に従って第１２制御部１３１Ａ、第１２ＲＡＭ１３２、第１２ＲＯＭ１３４、または第１２ＥＥＰＲＯＭ１３５から必要なデータを取得して（Ｆｄ１、Ｆｄ４、およびＦｄ７参照）演算処理（例えば、算術演算処理や論理演算処理等）を行う。また、この第１２演算部１３１Ｂは、第１２制御部１３１Ａの指示に従って、演算処理の処理結果データを第１２制御部１３１Ａに供給することができる（Ｆｄ２参照）。また、この第１２演算部１３１Ｂは、第１２制御部１３１Ａの指示に従って、演算処理の処理結果データを第１２ＲＡＭ１３２や第１２ＥＥＰＲＯＭ１３５に書き込むことができる（Ｆｄ３参照）。
【００７９】
第１２ＲＡＭ１３２は、図１９に示されるように、第１２制御部１３１Ａの指示に従って、各種データを第１２制御部１３１Ａに供給することができる（Ｆｄ５参照）。また、この第１２ＲＡＭ１３２は、各種データを第１２Ｉ／Ｏ制御部１３３から取得して（Ｆｄ９参照）一時記憶したり、第１２演算部１３１Ｂから送信されるデータ（Ｆｄ３参照）を一時記憶したりする。また、この第１２ＲＡＭ１３２は、第１２制御部１３１Ａの指示に応じて一時記憶しているデータを第１２Ｉ／Ｏ制御部１３３に送信する（Ｆｄ８参照）。
【００８０】
第１２ＲＯＭ１３４には、空調管理プログラムや各種データが格納されている。そして、この第１２ＲＯＭ１３４は、図１９に示されるように、第１２制御部１３１Ａの指示に従って、それらを第１２制御部１３１Ａに供給する（Ｆｄ６参照）。また、この第１２ＲＯＭ１３４は、第１２制御部１３１Ａの指示に従って、各種データを第１２演算部１３１Ｂに供給することができる（Ｆｄ７参照）。
【００８１】
第１２ＥＥＰＲＯＭ１３５は、電気的に書き換え可能なＲＯＭであり、室内機１２０のシリアル番号データ、室内機１２０の設置位置データ、マルチ式空調機１０２の監視データなどを記憶する。なお、本実施の形態では、室内機１２０のシリアル番号データおよび設置位置データは、後述するエンジニアリング用コンピュータ１０７から、対応付けされたかたちで提供される。
【００８２】
第１２Ｉ／Ｏ制御部１３３は、マルチ式空調機１０２から送信されてくるデータや、後述する監視制御コンピュータ１０８から送信されるデータ等を第１２ＲＡＭ１３２へ入力したり（Ｆｄ９参照）、第１２ＲＡＭ１３２に記憶されている各種データや制御信号などをマルチ式空調機１０２や、監視制御コンピュータ１０８に送信したりする。
空調機用インターフェイス１３７、および第１２ＬＡＮインターフェイス１３８は、通信線１４４，１４５を介して空調機用コネクタ１３９および第１２ＬＡＮコネクタ１４０に接続されており、マルチ式空調機１０２から送信されてくるデータや、後述する監視制御コンピュータ１０８から送信されるデータ等を受信すると同時にそれらのデータを第１２中央処理部１３１が処理可能な形式に変換したり、第１２Ｉ／Ｏ制御部１３３からマルチ式空調機１０２や監視制御コンピュータ１０８に出力されるデータおよび制御信号などを、マルチ式空調機１０２や監視制御コンピュータ１０８が処理可能な形式に変換したりする。
【００８３】
空調機用コネクタ１３９には、図１８に示されるように、第１８通信線１３０を介してマルチ式空調機１０２の室外機１２１が接続される。
第１２ＬＡＮコネクタ１４０には、図１８に示されるように、イーサネットケーブル１０９ｂを介して監視制御コンピュータ１０８が接続される。
（４）監視制御コンピュータ
監視制御コンピュータ１０８は、図２０に示されるように、主に、第１３本体１８０、第１３入力装置１８９、および第１３ディスプレイ１９０から構成されている。
【００８４】
第１３本体１８０は、図２０に示されるように、主に、第１３中央処理部１８１、第１３メインメモリ１８３、第１３ハードディスク１８４、第１３接続部１８２、第１３ＩＤＥインターフェイス１８５、第１３入力インターフェイス１８６、第１３ディスプレイインターフェイス１８７、第１３ＬＡＮインターフェイス１８８、および第１３ＬＡＮコネクタ１９６から構成されている。そして、この第１３本体１８０では、第１３中央処理部１８１が第２３バス線１９１を介して、第１３メインメモリ１８３が第２４バス線１９２を介して、各種インターフェイス１８５〜１８８が第２５バス線１９３を介して第１３接続部１８２に接続されている。
【００８５】
ここで、第１３中央処理部１８１は、例えば、マイクロプロセッサと呼ばれる半導体チップ等であって、主に、第１３制御部１８１Ａおよび第１３演算部１８１Ｂから構成される（他に１次キャッシュメモリや２次キャッシュメモリ等を含んでいてもよい）。
第１３メインメモリ１８３は、例えば、ＲＡＭ（ランダムアクセスメモリ）等の半導体チップである。第１３接続部１８２は、チップセット等の半導体チップである。
【００８６】
第１３ハードディスク１８４には、図２１に示されるように、オペレーティングシステム１８４ａ、デバイスドライバ１８４ｂ、および空調管理アプリケーション１８４ｃ等のプログラム等が格納されている。なお、この第１３ハードディスク１８４は、外付けタイプであってもかまわない。オペレーティングシステム１８４ａは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部１８２〜１８４、各種インターフェイス１８５〜１８８、各装置１８９，１９０等のハードウェア管理や、ユーザインターフェイスの提供、各種データの管理、アプリケーションの共通部分の処理等を行う。デバイスドライバ１８４ｂは、第１３ハードディスク１８４、第１３接続部１８２、および各装置１８９，１９０それぞれに対して用意されている専用プログラムであって、オペレーティングシステム１８４ａが第１３ハードディスク１８４、第１３接続部１８２、および各装置１８９，１９０を制御するための橋渡しを行う。空調管理アプリケーション１８４ｃは、空調コントローラ１０３から各種データを取得して第１３ディスプレイ１９０上に表示したり、第１３入力装置１８９により入力されたデータを空調コントローラ１０３に送信したりするためのプログラムである。
【００８７】
第１３ＩＤＥ（Integrated Drive Electronics）インターフェイス１８５は、第１３ハードディスク１８４を第１３接続部１８２に接続する。第１３入力インターフェイス１８６は、例えば、ＰＳ／２、ＵＳＢ、ＩＥＥＥ１２８４、ＲＳ２３２、あるいはＩｒＤＡ（Infrared Data Association）等のインターフェイスであって、第１３メインメモリ１８３にデータを入力するためのキーボード、マウス、スキャナ、あるいはＯＣＲ（Optical Character Reader）等といった第１３入力装置１８９を接続する。第１３ディスプレイインターフェイス１８７は、例えば、ＡＧＰ（Accelerated Graphics Port）、ＰＣＩ（Peripheral Component Interconnect）、あるいはＲＳ２３２等のインターフェイスであって、第１３メインメモリ１８３から送信されてきたデータを文字や画像として表示するためのＣＲＴディスプレイ、液晶ディスプレイ、あるいはプラズマディスプレイ等といった第１３ディスプレイ１９０を接続する。第１３ＬＡＮインターフェイス１８８は、第１５通信線１９５を介して第１３ＬＡＮコネクタ１９６に接続されており、空調コントローラ１０３から送信されるデータ等を受信すると同時にそれらのデータを第１３中央処理部１８１が処理可能な形式に変換したり、空調コントローラ１０３に出力されるデータおよび制御信号などを、空調コントローラ１０３が処理可能な形式に変換したりする。
【００８８】
第１３ＬＡＮコネクタ１９６には、図２０に示されるように、イーサネットケーブル１０９ｂおよびルータ（図示せず）を介して空調コントローラ１０３が接続される。
次に、図２２を用いて監視制御コンピュータ１０８の動作について説明する。
第１３制御部１８１Ａは、図２２に示されるように、第１３メインメモリ１８３に一時記憶されるプログラムを読み込み（Ｆｄ６参照）、読み込んだプログラムに従って各部１８２〜１８４および各装置１８９，１９０に動作を指示する（Ｆｃ１〜Ｆｃ６参照）。第１３演算部１８１Ｂは、第１３制御部１８１Ａの命令に従って第１３メインメモリ１８３から必要なデータを取得して（Ｆｄ２参照）演算処理（例えば、算術演算処理や論理演算処理等）を行う。第１３メインメモリ１８３は、プログラムやデータ等を第１３ハードディスク１８４から取得して（Ｆｄ４参照）一時記憶したり、第１３入力装置１８９において入力されたデータを一時記憶したり（Ｆｄ１参照）、第１３演算部１８１Ｂや第１３ＬＡＮインターフェイス１８８等から送信されるデータ等（Ｆｄ３およびＦｄ９参照）を一時記憶したりする。また、この第１３メインメモリ１８３は、第１３制御部１８１Ａの命令に応じて一時記憶しているデータ等を各部１８２〜１８４および各装置１８９，１９０に送信する（Ｆｄ２、Ｆｄ５、Ｆｄ７、およびＦｄ８参照）。第１３ハードディスク１８４は、第１３制御部１８１Ａの命令に応じて第１３メインメモリ１８３にプログラムやデータ等を供給したり（Ｆｄ４参照）第１３メインメモリ１８３から送信されるデータ等を格納したりする（Ｆｄ５参照）。
【００８９】
〔エンジニアリング用コンピュータ〕
ここでは、図１５および図２３〜２５の図面を参照しながら本発明の実施の形態に係るエンジニアリング用コンピュータ１０７について説明する。なお、本実施の形態では、ビルディングシステム１０１とエンジニアリング用コンピュータ１０７とを合わせて室内機対応付け支援システムという。
【００９０】
エンジニアリング用コンピュータ１０７は、サービスエンジニア等が携帯するノート型パーソナルコンピュータであって、図２３に示されるように、主に、第１５中央処理部１７１、第１５メインメモリ１７３、第１５ハードディスク１７４、第１５接続部１７２、第１５ＩＤＥインターフェイス１７５、第１５入力インターフェイス１７６、第１５ディスプレイインターフェイス１７７、第１５ＬＡＮインターフェイス１７８、第１５入力部１７９、第１５ディスプレイ部１４６、および第１５ＬＡＮコネクタ１４７から構成されている。そして、このエンジニアリング用コンピュータ１０７では、第１５中央処理部１７１が第２９バス線１４１を介して、第１５メインメモリ１７３が第３０バス線１４２を介して、各種インターフェイス１７５〜１７８が第３１バス線１４９を介して第１５接続部１７２に接続されている。
【００９１】
ここで、第１５中央処理部１７１は、例えば、マイクロプロセッサと呼ばれる半導体チップ等であって、主に、第１５制御部１７１Ａおよび第１５演算部１７１Ｂから構成される（他に１次キャッシュメモリや２次キャッシュメモリ等を含んでいてもよい）。
第１５メインメモリ１７３は、例えば、ＲＡＭ（ランダムアクセスメモリ）等の半導体チップである。第１５接続部１７２は、チップセット等の半導体チップである。
【００９２】
第１５ハードディスク１７４には、図２４に示されるように、オペレーティングシステム１７４ａ、デバイスドライバ１７４ｂ、室内機バインディングアプリケーション１７４ｄ等のプログラム、およびデータベース１７４ｅ，１７４ｆ等が格納されている。オペレーティングシステム１７４ａは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部１４６，１７２〜１７４，１７９、各種インターフェイス１７５〜１７８等のハードウェア管理や、ユーザインターフェイスの提供、各種データの管理、アプリケーションの共通部分の処理等を行う。デバイスドライバ１７４ｂは、第１５ハードディスク１７４、第１５接続部１７２、および各部１４６，１７９それぞれに対して用意されている専用プログラムであって、オペレーティングシステム１７４ａが第１５ハードディスク１７４、第１５接続部１７２、および各部１４６，１７９を制御するための橋渡しを行う。室内機バインディングアプリケーション１７４ｄは、主に、撮像指令信号送信ルーチン、画像解析ルーチン、およびバインディングルーチンから構成されるプログラムである。撮像指令信号送信ルーチンは、全ての室内機１２０に搭載されているカメラ１１８に撮像指令信号を送信するためのルーチンである。画像解析ルーチンは、室内機２０から送信されてくる像データを受信すると、その像データを画像解析し、第２データベース１７４ｆに登録されるいずれの像と最も近いかを判断し、最も近い像に対応する設置位置データを導出するためのルーチンである。バインディングルーチンは、像データとともに送信されてきた室内機２０のシリアル番号データと、その像データから導出された設置位置データとを対応付けて第１データベース１７４ｅに格納するためのルーチンである。なお、第２データベース１７４ｆでは、画像データと室内機２０の設置位置データとが予め対応付けられている。
【００９３】
第１５ＩＤＥ（Integrated Drive Electronics）インターフェイス１７５は、第１５ハードディスク１７４を第１５接続部１７２に接続する。第１５入力インターフェイス１７６は、第１５メインメモリ１７３にデータを入力するためのキーボード、トラックボールやタッチパッド等のポインティングデバイス等といった第１５入力部１７９を接続する。第１５ディスプレイインターフェイス１７７は、例えば、ＡＧＰ（Accelerated Graphics Port）、ＰＣＩ（Peripheral Component Interconnect）、あるいはＲＳ２３２等のインターフェイスであって、第１５メインメモリ１７３から送信されてきたデータを文字や画像として表示するための第１５ディスプレイ部１４６を接続する。第１５ＬＡＮインターフェイス１７８は、第１６通信線１４８を介して第１５ＬＡＮコネクタ１４７に接続されており、空調コントローラ１０３から送信されるデータ等を受信すると同時にそれらのデータを第１５中央処理部１７１が処理可能な形式に変換したり、空調コントローラ１０３に出力されるデータおよび制御信号などを、空調コントローラ１０３が処理可能な形式に変換したりする。
【００９４】
第１５ＬＡＮコネクタ１４７には、図１５および図２３に示されるように、通信アダプタ１１０からルータ（図示せず）を介して延びるイーサネットケーブル１０９ｂが接続される。
次に、図２５を用いてエンジニアリング用コンピュータ１０７の動作について説明する。
【００９５】
第１５制御部１７１Ａは、図２５に示されるように、第１５メインメモリ１７３に一時記憶されるプログラムを読み込み（Ｆｄ６参照）、読み込んだプログラムに従って各部１４６，１７２〜１７４，１７９に動作を指示する（Ｆｃ１〜Ｆｃ６参照）。第１５演算部１７１Ｂは、第１５制御部１７１Ａの命令に従って第１５メインメモリ１７３から必要なデータを取得して（Ｆｄ２参照）演算処理（例えば、算術演算処理や論理演算処理等）を行う。第１５メインメモリ１７３は、プログラムやデータ等を第１５ハードディスク１７４から取得して（Ｆｄ４参照）一時記憶したり、第１５入力部１７９において入力されたデータを一時記憶したり（Ｆｄ１参照）、第１５演算部１７１Ｂや第１５ＬＡＮインターフェイス１７８等から送信されるデータ等（Ｆｄ３およびＦｄ９参照）を一時記憶したりする。また、この第１５メインメモリ１７３は、第１５制御部１７１Ａの命令に応じて一時記憶しているデータ等を各部１４６，１７２〜１７４，１７９に送信する（Ｆｄ２、Ｆｄ５、Ｆｄ７、およびＦｄ８参照）。第１５ハードディスク１７４は、第１５制御部１７１Ａの命令に応じて第１５メインメモリ１７３にプログラムやデータ等を供給したり（Ｆｄ４参照）第１５メインメモリ１７３から送信されるデータ等を格納したりする（Ｆｄ５参照）。
【００９６】
〔サービスエンジニア等による室内機のシリアル番号データと設置位置データとの対応付け作業の準備〕
サービスエンジニア等は、室内機１２０のシリアル番号データと設置位置データとの対応付け作業を開始する前に、建造物の設計図面などを参照して室内機１２０の設置位置を確認しながら、エンジニアリング用コンピュータ１０７に室内機１２０の設置位置データを入力していく。
【００９７】
また、サービスエンジニア等は、エンジニアリング用コンピュータ１０７を通信アダプタ１１０に接続しておく。
〔サービスエンジニア等による室内機のシリアル番号データと設置位置データとの対応付け作業〕
サービスエンジニア等は、エンジニアリング用コンピュータ１０７を操作して、全ての室内機１２０に搭載されているカメラ１１８に対して撮像指令信号を送信する。すると、全室内機１２０では、カメラ１１８が特定方向を向いて周辺画像を撮影した後、第１１通信回路１２６が、第１５制御部７１７Ａの指示に従って、第１１ＥＥＰＲＯＭ２５からシリアル番号を読み出し、そのシリアル番号データとカメラ１１８から得られた画像データとを併せてエンジニアリング用コンピュータ１０７に送信する。エンジニアリング用コンピュータ１０７では、シリアル番号データおよび画像データが第１５接続部１７２を介して第１５メインメモリ１７３に送信されて一時的に記憶される。続いて、第１５演算部１７１Ｂが、第１５制御部１７１Ａの指示に従って、第１５メインメモリ１７２に一時的に記憶されている画像データを取得して画像解析し、第２データベース１７４ｆに登録されるいずれの画像と最も近いかを判断し、最も近い画像に対応する設置位置データを導出する。そして、第１５演算部１７１Ｂが、第１５制御部１７１Ａの指示に従って、第１５メインメモリ１７２に一時的に記憶されているシリアル番号データを、先に導出した設置位置データと対応付ける（例えば、シリアル番号データに、設置位置データと同じＩＤ番号データを付す等が考えられる）。この後、第１５演算部１７１Ｂは、第１５制御部１７１Ａの指示に従って、互いに対応付けられたシリアル番号データと設置位置データとを第１５ハードディスク１７４に格納する。
【００９８】
サービスエンジニア等は、上記の対応付け作業が完了すると、空調コントローラ１０３に赴き、ＬＡＮ接続を利用してエンジニアリング用コンピュータ１０７から、互いに対応付けられたシリアル番号データと設置位置データとを空調コントローラ１０３に転送する。すると、空調コントローラ１０３は、互いに対応付けられたシリアル番号データと設置位置データとを第１２ＥＥＰＲＯＭ１３５に格納する。
【００９９】
〔空調コントローラによる通信専用アドレスの付与〕
空調コントローラによる通信専用アドレスの付与については、第１実施形態と同様であるので、省略する。
〔室内機対応付け支援システムの特徴〕
第２実施形態に係る室内機対応付け支援システムでは、サービスエンジニア等は、エンジニアリング用コンピュータ１０７を操作して、全ての室内機１２０に搭載されているカメラ１１８に対して撮像指令信号を送信する。すると、全室内機１２０では、カメラ１１８が特定方向を向いて周辺画像を撮影した後、第１１通信回路１２６が、第１５制御部７１７Ａの指示に従って、第１１ＥＥＰＲＯＭ２５からシリアル番号を読み出し、そのシリアル番号データとカメラ１１８から得られた画像データとを併せてエンジニアリング用コンピュータ１０７に送信する。エンジニアリング用コンピュータ１０７では、シリアル番号データおよび画像データが第１５接続部１７２を介して第１５メインメモリ１７３に送信されて一時的に記憶される。続いて、第１５演算部１７１Ｂが、第１５制御部１７１Ａの指示に従って、第１５メインメモリ１７２に一時的に記憶されている画像データを取得して画像解析し、第２データベース１７４ｆに登録されるいずれの画像と最も近いかを判断し、最も近い画像に対応する設置位置データを導出する。そして、第１５演算部１７１Ｂが、第１５制御部１７１Ａの指示に従って、第１５メインメモリ１７２に一時的に記憶されているシリアル番号データを、先に導出した設置位置データと対応付ける（例えば、シリアル番号データに、設置位置データと同じＩＤ番号データを付す等が考えられる）。この後、第１５演算部１７１Ｂは、第１５制御部１７１Ａの指示に従って、互いに対応付けられたシリアル番号データと設置位置データとを第１５ハードディスク１７４に格納する。このため、この室内機対応付け支援システムでは、サービスエンジニア等は、室内機１２０のシリアル番号データと設置位置データとを対応付け作業を一度に行うことができる。したがって、この室内機対応付け支援システムでは、サービスエンジニア等は、動き回る必要がない。この結果、この室内機対応付け支援システムでは、サービスエンジニア等に大きな負担をかけることなく、簡便に、空調コントローラ１０３に室内機１２０のシリアル番号データと設置位置データとを対応付けて保存することができる。
【０１００】
〔変形例〕
第２実施形態に係る室内機対応付け支援システムでは、室内機１２０にカメラ１１８が設けられ、エンジニアリング用コンピュータ１０７から撮像指令信号が送信されると、カメラ１１８の画像データとともに第１ＥＥＰＲＯＭ２５に格納されているシリアル番号データがエンジニアリング用コンピュータ７に送信されるようになっていた。しかし、空調コントローラ１０３に室内機バインディングアプリケーション１７４ｄおよびデータベース７４ｅ，７４ｆ等を移植して、サービスエンジニア等が空調コントローラ１０３から撮像指令信号を送信できるようにし、また、画像データおよびシリアル番号データが空調コントローラ１０３に送信されるようにしてもよい。かかる場合、エンジニアリング用コンピュータ１０７は不要となる。
【図面の簡単な説明】
【０１０１】
【図１】第１実施形態に係るビルディングシステムの構成を表すブロック図である。
【図２】第１実施形態に係る室内機の一部を表す図である。
【図３】第１実施形態に係る空調コントローラの内部構造を表すブロック図である。
【図４】第１実施形態に係る空調コントローラにおける制御信号およびデータの流れを表す図である。
【図５】第１実施形態に係る監視制御コンピュータの内部構造を表すブロック図である。
【図６】第１実施形態に係る監視制御コンピュータのハードディスクに格納される各種プログラムやデータのイメージ図である。
【図７】第１実施形態に係る監視制御コンピュータにおける制御信号およびデータの流れを表す図である。
【図８】第１実施形態に係る位置データ導出サーバの内部構造を表すブロック図である。
【図９】第１実施形態に係る位置データ導出サーバのハードディスクに格納される各種プログラムやデータのイメージ図である。
【図１０】第１実施形態に係る位置データ導出サーバにおける制御信号およびデータの流れを表す図である。
【図１１】第１実施形態に係るエンジニアリング用コンピュータの内部構造を表すブロック図である。
【図１２】第１実施形態に係るエンジニアリング用コンピュータのハードディスクに格納される各種プログラムやデータのイメージ図である。
【図１３】第１実施形態に係るエンジニアリング用コンピュータにおける制御信号およびデータの流れを表す図である。
【図１４】第１実施形態に係る空調コントローラによる通信専用アドレスの付与の流れを表すフローチャートである。
【図１５】第１実施形態の変形例（Ｃ）に係る空調コントローラによる通信専用アドレスの付与の流れを表すフローチャートである。
【図１６】第２実施形態に係るビルディングシステムの構成を表すブロック図である。
【図１７】第２実施形態に係る室内機の一部を表す図である。
【図１８】第２実施形態に係る空調コントローラの内部構造を表すブロック図である。
【図１９】第２実施形態に係る空調コントローラにおける制御信号およびデータの流れを表す図である。
【図２０】第２実施形態に係る監視制御コンピュータの内部構造を表すブロック図である。
【図２１】第２実施形態に係る監視制御コンピュータのハードディスクに格納される各種プログラムやデータのイメージ図である。
【図２２】第２実施形態に係る監視制御コンピュータにおける制御信号およびデータの流れを表す図である。
【図２３】第２実施形態に係るエンジニアリング用コンピュータの内部構造を表すブロック図である。
【図２４】第２実施形態に係るエンジニアリング用コンピュータのハードディスクに格納される各種プログラムやデータのイメージ図である。
【図２５】第２実施形態に係るエンジニアリング用コンピュータにおける制御信号およびデータの流れを表す図である。
【符号の説明】
【０１０２】
７，１０７      エンジニアリング用コンピュータ（携帯情報処理装置）
１８      スイッチユニット（情報発信指令信号発信手段）
２５      第１ＥＥＰＲＯＭ（第１記憶手段）
２６      第１通信回路（情報発信手段）
４６      第５ディスプレイ部（情報表示装置）
４７      無線送受信部（情報受信手段，発音等装置）
５１Ｂ      第４演算部（発音等装置位置情報導出手段）
７１Ａ      第５制御部（設置位置情報表示手段）
７１Ｂ      第５演算部（情報対応付け保存手段）
７４      第５ハードディスク（第２記憶手段）
７９      第５入力部（設置位置情報選択手段）
１２５      第１１ＥＥＰＲＯＭ（第１記憶手段）
１２６      第１１通信回路（情報発信手段）
１４６      第１５ディスプレイ部（情報表示装置）
１４７      第１５ＬＡＮコネクタ（情報受信手段）
１７１Ａ      第１５制御部（設置位置情報表示手段）
１７１Ｂ      第１５演算部（情報対応付け保存手段，設置位置情報導出手段）
１７４      第１５ハードディスク（第２記憶手段）
【図１】
2007132620.tif 000003
【図２】
2007132620.tif 000004
【図３】
2007132620.tif 000005
【図４】
2007132620.tif 000006
【図５】
2007132620.tif 000007
【図６】
2007132620.tif 000008
【図７】
2007132620.tif 000009
【図８】
2007132620.tif 000010
【図９】
2007132620.tif 000011
【図１０】
2007132620.tif 000012
【図１１】
2007132620.tif 000013
【図１２】
2007132620.tif 000014
【図１３】
2007132620.tif 000015
【図１４】
2007132620.tif 000016
【図１５】
2007132620.tif 000017
【図１６】
2007132620.tif 000018
【図１７】
2007132620.tif 000019
【図１８】
2007132620.tif 000020
【図１９】
2007132620.tif 000021
【図２０】
2007132620.tif 000022
【図２１】
2007132620.tif 000023
【図２２】
2007132620.tif 000024
【図２３】
2007132620.tif 000025
【図２４】
2007132620.tif 000026
【図２５】
2007132620.tif 000027